(57)【要約】【課題】集音性や可搬性を犠牲にすることなく、操作性や視認性を向上できるカメラアクセサリ取付台座付きオーディオインターフェース装置を提供する。【解決手段】オーディオインターフェース回路が内蔵された筐体１１の上下面に、各種カメラ用アクセサリを取り付け可能なレール状のカメラアクセサリ取付台座１８、１９を設けたことを特徴とする。オーディオインターフェース装置自身がアクセサリシューの拡張用レールとしての機能を有し、カメラアクセサリ取付台座を利用して効率的に様々なアクセサリ類の取り付けができるため、集音性が良く持ち運びに便利である。また、筐体１１の前面に操作部１２と表示部１４を配置することで、操作部１２と表示部１４にユーザが対面し、配置効率を維持したまま容易に操作でき、かつ作動状態の確認を行うことができ、操作性や視認性を向上できる。【選択図】図１
2014121030.tif 000002
【特許請求の範囲】
【請求項１】
オーディオインターフェースが内蔵された筐体（１１）の上下面に配置され、各種カメラ用アクセサリを取り付け可能なレール状のカメラアクセサリ取付台座（１８、１９）をそれぞれ具備してなることを特徴とするカメラアクセサリ取付台座付きオーディオインターフェース装置。
【請求項２】
前記筐体（１１）の前面に配置された操作部（１２）および表示部（１４）を備えることを特徴とする請求項１に記載のカメラアクセサリ取付台座付きオーディオインターフェース装置。
【請求項３】
前記筐体（１１）の左右方向に対向する側面にそれぞれ配置されたケーブル接続用端子（２０、２１）を備えることを特徴とする請求項１または２に記載のカメラアクセサリ取付台座付きオーディオインターフェース装置。
【請求項４】
前記カメラアクセサリ取付台座（１８）の底部に配置されたケーブル接続用端子（２２、２３）を備えることを特徴とする請求項１乃至３いずれか１項に記載のカメラアクセサリ取付台座付きオーディオインターフェース装置。
【請求項５】
前記筐体（１１）の背面に配置された外部接続端子（１６）および外部電源端子（１７）の少なくとも一方を備えることを特徴とする請求項１乃至４いずれか１項に記載のカメラアクセサリ取付台座付きオーディオインターフェース装置。
【請求項６】
前記筐体（１１）の背面に配置され、カメラ用アクセサリシューと互換性を持ったレール状のカメラアクセサリ取付台座を更に備えることを特徴とする請求項１乃至５いずれか１項に記載のカメラアクセサリ取付台座付きオーディオインターフェース装置。
【発明の詳細な説明】
【技術分野】
【０００１】
本発明は、ビデオカメラやデジタルカメラ、あるいはスマートフォンなどのカメラ機能を有する携帯機器に、様々なアクセサリ類を取り付けるためのカメラアクセサリ取付台座付きオーディオインターフェース装置に関するものである。
【背景技術】
【０００２】
近年、カメラとその周辺機材の小型化に伴い、従来は多人数で分担して保持していた映像確認用モニタや照明機材、録音／調整用の音声機材などを１台のカメラに集約して取り付け、コンパクトでハイクオリティな撮影システムを構築できるようになってきている。
【０００３】
例えば、ビデオカメラやデジタル一眼レフカメラ（Digital Single-Lens Reflex camera以下、ＤＳＬＲ）では、周辺機材の取り付け方法の１つとして、カメラのアクセサリシューと互換性を持つレール状の台座を上下面に配置した「カメラアクセサリ取付レール」と呼ばれる拡張用レールを利用することが一般的である。
【０００４】
図９は、上記拡張用レールを使用した動画（ムービー）用の従来の撮影システムの一例を示す斜視図である。カメラ（ここではＤＳＬＲ）１のアクセサリシュー１ａに、フラッシュナーと呼ばれるアダプタ２−１の一方の装着部２ａを矢印ＡＡに示すように挿入して固定部２ｃのネジを締め付けて固定し、他方の装着部２ｂを矢印ＡＢに示すように拡張用レール３の下面に横方向から挿入して固定部２ｄのネジを締め付けることで取り付ける。そして、この拡張用レール３に別のアダプタ２−２を介して様々な周辺機材、例えばＬＥＤ照明、映像確認用モニタ、マイクロホン、音声ミキサまたは音声レコーダなどを装着する。
【０００５】
図９では、拡張用レール３の上面に、アダプタ２−２の一方の装着部２ａを矢印ＡＣに示すように横方向から挿入して固定部２ｃのネジを締め付けて固定し、他方の装着部２ｂにＬＥＤ照明４を矢印ＡＤに示すように挿入して固定部２ｄのネジを締め付けることで取り付けている。また、矢印ＡＥに示すようにマイクロホン５の装着部５ａを拡張用レール３の下面に横方向から挿入し、固定部５ｂのネジを締め付けて固定することでマイクロホン５を吊り下げるようにして装着する様子を示している。
【０００６】
更に、例えば特許文献１には、Ｕ字型のハンドルを横にした形状を有し、ハンドルの対向する内側下部にビデオカメラやＤＳＬＲを装着する装着部を設けたハンドルアタッチメントが開示されている。このハンドルアタッチメントのＵ字型のハンドルには、アダプタを用いて上記拡張用レールと同様に、様々な周辺機材が装着できるようになっている。
【０００７】
加えて、ビデオカメラやＤＳＬＲと組み合わせて用いる音声ミキサまたは音声レコーダでは、カメラ用三脚へ装着するためのネジ穴や、ビデオカメラやＤＳＬＲの三脚取付部を利用して装着するための取付ネジを備えたものも市販されている。また、アクセサリシューへ取り付けるためのマウント用のアダプタを用いて、図１０に示すように音声レコーダ６をカメラ１のアクセサリシュー１ａに直接装着可能にしたものも既に市販されている。図１０において、６ａ、６ｂはマイクロホン、６ｃは表示部、６ｄは操作スイッチ、６ｅ、６ｆは外部機器との接続ケーブル、６ｇはカメラ１との接続ケーブルである。
【０００８】
このように、ビデオカメラや動画（ムービー）撮影機能を備えるＤＳＬＲと、小型で高性能な音声ミキサまたは音声レコーダのような音声調整・記録装置とを組み合わせることで、コンパクトでありながら画質、音質ともにハイクオリティな撮影システムを構築できる。
【先行技術文献】
【特許文献】
【０００９】
【特許文献１】米国意匠ＵＳＤ５０３，４２１号
【発明の概要】
【発明が解決しようとする課題】
【００１０】
しかしながら、図９に示したような拡張用レールや、特許文献１のハンドルアタッチメントを用いて複数の周辺機材を取り付ける際には、他の周辺機材との操作性、視認性、および集音性などについて十分な配慮が必要になり、いずれかの機材や性能を優先すると他の機材の操作性、視認性、集音性が犠牲になり、可搬性も悪くなるという課題がある。
【００１１】
また、多数の周辺機材をカメラに取り付ける場合には、拡張用レールに加えて拡張用アームと呼ばれる上下方向に拡張するための別のアタッチメントや、この拡張用アームに更に別の拡張用レールを組み合わせることなども考えられるが、拡張用アームと拡張用レールを組み合わせるとスペース効率が低下して撮影システムが大規模になる。
【００１２】
更に、小型の音声レコーダなどは、本来は単独での使用を前提としているため、カメラと組み合わせて撮影システムを構築すると、操作部や表示部とユーザが対面しないことが多い。三脚などに取り付ける大型の音声調整・記録装置では、操作部および表示部がユーザに対面しているものや、対面するように取り付けられるものもあるが、図１０に示したようにカメラのアクセサリシューに直接あるいはアダプタを介して取り付ける小型の音声レコーダの多くは図１０に示したような形態であり、集音性を考慮してマイクロホン６ａ、６ｂを撮像方向に向けて取り付けるとユーザに対面しない。このため、カメラ１の操作スイッチ１ｂやモニタ画面１ｃが配置された方向に対して、音声レコーダ６の表示部６ｃや操作スイッチ６ｄが配置された方向が異なってしまい、ユーザの使い勝手が悪くなる。
【００１３】
操作性や視認性を向上させるために、拡張用アームなどを用いてマイクロホン６ａ、６ｂを上に向けて取り付け、音声レコーダ６の表示部６ｃや操作スイッチ６ｄと、カメラ１の操作スイッチ１ｂやモニタ画面１ｃが配置された方向を一致させることも考えられるが、集音性や可搬性が犠牲になる。
【００１４】
しかも、図１０に示した例では、他の機材との干渉や接続ケーブル類の取り回しにも配慮が必要になる。例えば、接続ケーブル６ｅ、６ｆがカメラ１のモニタ画面１ｃに干渉し、撮影の妨げとなる。また、カメラ１に取り付けたアクセサリ類（ストロボ、映像確認用モニタ、マイクロホンなど）に干渉する可能性があり、妨げにならない場合においても接続ケーブルの配置や固定に十分配慮する必要がある。
【００１５】
本発明は上記のことに鑑み提案されたもので、その目的とするところは、集音性や可搬性を犠牲にすることなく、操作性や視認性を向上できるカメラアクセサリ取付台座付きオーディオインターフェース装置を提供することにある。
【課題を解決するための手段】
【００１６】
上記課題を解決するために、請求項１に係る本発明のカメラアクセサリ取付台座付きオーディオインターフェース装置は、オーディオインターフェースが内蔵された筐体１１の上下面に配置され、各種カメラ用アクセサリを取り付け可能なレール状のカメラアクセサリ取付台座１８、１９をそれぞれ具備してなることを特徴とする。
【００１７】
請求項２に係る発明は、請求項１に記載のカメラアクセサリ取付台座付きオーディオインターフェース装置において、前記筐体１１の前面に配置された操作部１２および表示部１４を備えることを特徴とする。
【００１８】
請求項３に係る発明は、請求項１または２に記載のカメラアクセサリ取付台座付きオーディオインターフェース装置において、前記筐体１１の左右方向に対向する側面にそれぞれ配置されたケーブル接続用端子２０、２１を備えることを特徴とする。
【００１９】
請求項４に係る発明は、請求項１乃至３いずれか１項に記載のカメラアクセサリ取付台座付きオーディオインターフェース装置において、前記カメラアクセサリ取付台座１８の底部に配置されたケーブル接続用端子２２、２３を備えることを特徴とする。
【００２０】
請求項５に係る発明は、請求項１乃至４いずれか１項に記載のカメラアクセサリ取付台座付きオーディオインターフェース装置において、前記筐体１１の背面に配置された外部接続端子１６および外部電源端子１７の少なくとも一方を備えることを特徴とする。
【００２１】
請求項６に係る発明は、請求項１乃至５いずれか１項に記載のカメラアクセサリ取付台座付きオーディオインターフェース装置において、前記筐体１１の背面に配置され、カメラ用アクセサリシューと互換性を持ったレール状のカメラアクセサリ取付台座を更に備えることを特徴とする。
【発明の効果】
【００２２】
本発明のカメラアクセサリ取付台座付きオーディオインターフェース装置では、オーディオインターフェースが内蔵された筐体の上下面にレール状のカメラアクセサリ取付台座を設けたことで、オーディオインターフェースと拡張用レールとを一体化し、かつオーディオインターフェースと拡張用レールと同様な機能を持たせることができる。効率的なアクセサリ類の取り付けが可能になり、これによって各種機能をコンパクトにまとめることができ、撮影システムの大規模化を招くことなく、容易に撮影することができる。
【００２３】
また、筐体の前面に操作部と表示部を配置したことで、操作部と表示部にユーザが対面する。従って、配置効率を維持したまま容易に操作でき、かつ作動状態の確認を行うことができ、操作性や視認性を向上できる。
【００２４】
更に、筐体の左右方向に対向する側面にケーブル接続用端子を配置したことで、レール型のカメラアクセサリ取付台座の延長方向に接続ケーブルを配置できるので、上下方向に取り付けたカメラやアクセサリ類と接続ケーブルが干渉するのを抑制できる。
【００２５】
従って、集音性や可搬性を犠牲にすることなく、操作性や視認性を向上できるカメラアクセサリ取付台座付きオーディオインターフェース装置を提供することができる。
【００２６】
また、カメラアクセサリ取付台座の底部にケーブル接続用端子を配置することで接続ケーブルの配置の自由度を高めることができる。例えば左右のマイクロホンのプラグを挿入することで容易にステレオ入力が可能になる。
【００２７】
更に、筐体の背面に外部接続端子および外部電源端子の少なくとも一方を配置することで、操作性や視認性に悪影響を与えることなく外部機器に接続したり、外部電源を供給したりできる。
【００２８】
更にまた、筐体の背面にもレール状のカメラアクセサリ取付台座を設ければ、アクセサリ類の取り付けの自由度をより高めることができる。
【図面の簡単な説明】
【００２９】
【図１】本発明の実施形態に係るカメラアクセサリ取付台座付きオーディオインターフェース装置を示しており、（ａ）図は正面図、（ｂ）図は背面図、（ｃ）図は右側面図、（ｄ）図は左側面図である。
【図２】本発明の実施形態に係るカメラアクセサリ取付台座付きオーディオインターフェース装置を示しており、（ａ）図は平面図、（ｂ）図は底面図である。
【図３】図１および図２に示したカメラアクセサリ取付台座付きオーディオインターフェース装置の内部回路の構成例を示すブロック図である。
【図４】図３に示した回路におけるＬＥＤメータの表示例を示しており、（ａ）図から（ｅ）図はそれぞれ入力機能の調整について説明するための図である。
【図５】図３に示した回路におけるＬＥＤメータの表示例を示しており、（ａ）図から（ｄ）図はそれぞれ出力機能の調整について説明するための図である。
【図６】図１乃至図３に示したカメラアクセサリ取付台座付きオーディオインターフェース装置の使用例を示す外観斜視図である。
【図７】図１乃至図３に示したカメラアクセサリ取付台座付きオーディオインターフェース装置の他の使用例を示す外観斜視図である。
【図８】図７に示した使用例においてスマートフォンを装着した状態の外観斜視図である。
【図９】拡張用レールを使用した、動画（ムービー）用の従来の撮影システムの一例を示す斜視図である。
【図１０】音声レコーダをカメラのアクセサリシューに直接装着した、動画（ムービー）用の従来の撮影システムの斜視図である。
【発明を実施するための形態】
【００３０】
以下、本発明の実施形態を図面に基づいて説明する。
【００３１】
本発明の実施形態に係るカメラアクセサリ取付台座付きオーディオインターフェース装置は、オーディオインターフェースが内蔵された筐体の上下面に、カメラ用アクセサリシューと互換性を持つカメラアクセサリ取付台座を配置することにより、オーディオインターフェース装置に拡張用レールの機能を持たせたものである。
【００３２】
音声ミキサや音声レコーダ用インターフェース装置などのオーディオインターフェースを内蔵した筐体が、拡張用レールとしての機能を有することで、様々なアクセサリ類を装着することができるため、撮影システムの大規模化を最小限に留めることが可能となる。しかも、筐体の上下面にアクセサリ取付台座を配置したことにより、より効率的なアクセサリ類の取り付けが可能となる。
【実施例】
【００３３】
次に、本発明の実施例に係るカメラアクセサリ取付台座付きオーディオインターフェース装置について、図１乃至図３により詳しく説明する。本実施例では音声ミキサまたは音声レコーダ用インターフェース装置について説明するが、筐体内に録音機能を内蔵することにより音声レコーダにも適用できるなど、様々な変形が可能である。
【００３４】
本実施例は、ビデオカメラ、ＤＳＬＲ、またはスマートフォンなどのカメラ機能を有する携帯機器で動画（ムービー）を撮影する際に、カメラに入力する音声をヘッドホンや音声レベルメータで確認しつつ調整する必要がある場合、または、その音声をカメラ以外の外部機器に記録する必要がある場合に好適なものである。
【００３５】
図１（ａ）〜（ｄ）および図２（ａ）、（ｂ）は、本発明の実施例に係るカメラアクセサリ取付台座付きオーディオインターフェース装置を示しており、図１（ａ）は正面図、図１（ｂ）は背面図、図１（ｃ）は右側面図、図１（ｄ）は左側面図、図２（ａ）は平面図、図２（ｂ）は底面図である。
【００３６】
図１および図２に示すように、このカメラアクセサリ取付台座付きオーディオインターフェース装置の筐体１１は、前面と背面が緩やかなカーブを持って外方向に突出する四角柱状である。この筐体１１の上面と下面には、各種カメラ用のアクセサリ類を自在に取り付けることができるレール型のカメラアクセサリ取付台座１８、１９を配置している。
【００３７】
図１（ａ）に示すように、筐体１１の前面中央部に突出した、ロータリーエンコーダの操作部であるツマミ１２を設けている。ロータリーエンコーダ軸は押しボタンスイッチの機能も有しており、ツマミ１２の回転と押圧によるボタン操作を適宜選択することで、各種音量調整やＰＡＮの調整などを簡単かつ素早く行えるようになっている。上記ツマミ１２の周囲には、時計回りにレベルが大きくなることを示す目盛り１２ａを表示している。
【００３８】
上記ツマミ１２の下方には、水平方向に形成された溝１３内に表示部としてのＬＥＤメータ１４を適間隔で設けている。このＬＥＤメータ１４は、本例では例えば１１個のＬＥＤ１４ａ〜１４ｋを水平方向に配列しており、中央のＬＥＤ１４ｆを挟んで左右に少し離れて５個のＬＥＤ１４ａ〜１４ｅとＬＥＤ１４ｇ〜１４ｋを近接配置している。
【００３９】
また、図１（ｂ）に示すように、筐体１１の背面の中央付近に水平方向に形成された溝１５内に、ＵＳＢ（Universal Serial Bus）コネクタ（外部接続端子）１６と電源用のコネクタ（外部電源端子）１７を配置している。ＵＳＢコネクタ１６は接続ケーブルを介してスマートフォンやパーソナルコンピュータに接続し、電源用のコネクタ１７は電池やバッテリーなどの外部電源を接続する。このように、本実施例では内蔵電池を不要とする給電方式を採用しているが、筐体１１内に電池やバッテリーなどを内蔵することもできる。
【００４０】
図１（ｃ）、（ｄ）に示すように、上記カメラアクセサリ取付台座１８、１９はそれぞれ、溝状の開口部の上端に一対の係止部１８ａ、１８ｂ、１９ａ、１９ｂを対向して形成しており、横方向から溝内にスライドさせつつ挿入したアダプタの装着部を係止するようになっている。
【００４１】
また、筐体１１の右側面にはヘッドホンジャック（ケーブル接続用端子）２０を設け、左側面にはライン出力ジャック（ケーブル接続用端子）２１を設けている。このように、ヘッドホンジャック２０とライン出力ジャック２１を両側面に設けることで、ヘッドホンや音声レコーダを接続したときに、レール型のカメラアクセサリ取付台座１８、１９の延長方向にケーブルを配置できるので、特別な配慮をすることなく近接するアクセサリ類やユーザと干渉するのを抑制できる。
【００４２】
更に、図２（ａ）に示すように、上記筐体１１の上面のカメラアクセサリ取付台座１８の底部の両端に、マイクレベルからラインレベルの入力が可能な入力ジャック（ケーブル接続用端子）２２、２３を設けている。上記係止部１８ｂにおける入力ジャック２２、２３の周囲には、マイクロホンのプラグを挿入した際に係止部１８ｂとの干渉を防止するための切欠部１８ｃ、１８ｄを形成している。
【００４３】
図３は、上記図１および図２に示したカメラアクセサリ取付台座付きオーディオインターフェース装置の内部回路の構成例を示すブロック図である。この回路は、コーデック部３０と制御部３１とを備えており、コーデック部３０と制御部３１はデータ線ＡＤＤ、ＤＡＤとクロック信号線ＣＬＫとで接続している。
【００４４】
上記コーデック部３０には、コーデックＩＣ３２および外部機器との接続用のジャック２０〜２３を設けている。ジャック２０にはヘッドホンを接続し、ジャック２２、２３に接続したマイクロホンから入力される音声を確認、あるいは再生音を確認して調整する際に用いる。また、ジャック２１は音声データの出力用であり、例えばカメラ１に接続して音声を録音したり、外部に音声レコーダを接続して録音したりする際に用いる。
【００４５】
上記コーデックＩＣ３２は、可変ゲインアンプ（ＰＧＡ）３３−１、３３−２、Ａ／Ｄコンバータ３４−１、３４−２、Ｄ／Ａコンバータ３５−１、３５−２、可変抵抗３６−１〜３６−６、バッファアンプ（ＢＡ）３７−１、３７−２、ヘッドホンアンプ（ＨＡ）３８−１、３８−２などを備えている。
【００４６】
上記入力ジャック２２、２３には、可変ゲインアンプ３３−１、３３−２の入力端をそれぞれ接続し、これら可変ゲインアンプ３３−１、３３−２による増幅信号をＡ／Ｄコンバータ３４−１、３４−２の入力端にそれぞれ供給する。これらＡ／Ｄコンバータ３４−１、３４−２で生成したアナログ信号、例えば入力音声に対応するデジタル信号は、データ線ＡＤＤを介して制御部３１に供給する。
【００４７】
一方、Ｄ／Ａコンバータ３５−１、３５−２の入力端はデータ線ＤＡＤに接続し、上記制御部３１からデータ線ＤＡＤを介して供給されたデジタル信号をアナログ信号に変換する。上記Ｄ／Ａコンバータ３５−１の出力端は可変抵抗３６−３、３６−５の一端に接続し、上記Ｄ／Ａコンバータ３５−２の出力端は可変抵抗３６−４、３６−６の一端に接続する。
【００４８】
上記可変抵抗３６−３、３６−４の他端はバッファアンプ３７−１、３７−２の入力端に接続し、これらバッファアンプ３７−１、３７−２による増幅信号をライン出力ジャック２１から出力する。また、上記可変抵抗３６−５、３６−６の他端はヘッドホンアンプ３８−１、３８−２の入力端に接続し、これらヘッドホンアンプ３８−１、３８−２による増幅信号をヘッドホンジャック２０から出力する。
【００４９】
一方、上記制御部３１は、ＣＰＵ３９、ロータリーエンコーダ４０、表示装置（本例ではＬＥＤメータ１４）、およびパワーＩＣ４１などを備えている。上記ＣＰＵ３９はＵＳＢコネクタ１６を介してパーソナルコンピュータ（ＰＣ）やスマートフォンに接続する。また、パワーＩＣ４１には、電源用のコネクタ１７から外部電源を供給する。そして、電源用のコネクタ１７から供給された電源を、上記ＣＰＵ３９、ロータリーエンコーダ４０、ＬＥＤメータ１４およびコーデックＩＣ３２などの各回路に供給するようになっている。
【００５０】
上記ＣＰＵ３９は、オーディオデータのインターフェースとして機能するために各回路の制御を行うもので、例えば音声データ（デジタルデータ）を並び替えてＵＳＢコネクタ１６を介してパーソナルコンピュータ（ＰＣ）やスマートフォンに出力するとともに、ＰＣやスマートフォンデータから種々のデータを受け取る。また、このＣＰＵ３９は、ロータリーエンコーダ４０から出力されるツマミ１２の回転方向の機械的変位量に応じたデジタル量と、このツマミ１２の押圧動作とに基づいて、コーデックＩＣ３２中の可変抵抗３６−１〜３６−６の抵抗値の設定、入力機能や出力機能の調整動作などを行う。更に、ＬＥＤメータ１４に、調整モードとそのレベルやバランスなどを表示するようになっている。
【００５１】
図４および図５はそれぞれ、図３に示した回路におけるＬＥＤメータ１４の表示例を示している。図４は入力機能の調整であり、図５は出力機能の調整である。上述したように、図３に示した回路では、ツマミ１２の回転と押圧によるボタン操作で、各種音量調整やＰＡＮの調整などを素早い操作で行えるようになっており、ツマミ１２の押圧によって調整モードを順次切り替え、時計回りまたは反時計回りに回転させることによって音量やレベル調整、左右のバランス調整などを行うようになっている。
【００５２】
例えば、ツマミ１２の押圧動作により、入力ジャック２２、２３からの入力信号、ヘッドホンジャック２０からの出力信号、ライン出力ジャック２１からの出力信号などを順次選択する。また、ツマミ１２を回転させることによって、可変抵抗３６−１〜３６−６の抵抗値が変化し、調整モード毎に音量調整やレベル調整、左右のバランス調整などを個別に行うことができる。
【００５３】
次に、入力機能の調整について、図４（ａ）〜（ｅ）により詳しく説明する。図４（ａ）は、入力ジャック２２、２３（例えばマイクロホン）より入力される音声に対するゲインの調整を行う場合のＬＥＤメータ１４の表示例を示している。ツマミ１２を押圧してこの調整モードに切り替えると、両端のＬＥＤ１４ａ、１４ｋが例えば赤色に高速で明滅する。この状態でツマミ１２を時計回りに回転させると、回転角に応じてゲインが大きくなりＬＥＤ１４ｂ〜１４ｊが順次例えば黄色に点灯する。一方、反時計回りに回転させるとゲインが小さくなりＬＥＤ１４ｊ〜１４ｂが順次消灯する。このように、上記ＬＥＤ１４ｂ〜１４ｊの点灯／消灯状態により、入力ジャック２２、２３から入力された音声のゲイン調整を行うことができる。
【００５４】
図４（ｂ）は、入力ジャック２２（例えばマイクロホン）より入力される音声に対するゲインの調整を行う場合のＬＥＤメータ１４の表示例を示している。ツマミ１２を押圧してこの調整モードに切り替えると、ＬＥＤ１４ａが例えば赤色に高速で明滅する（この時、ＬＥＤ１４ｋは消灯状態）。この状態でツマミ１２を時計回りに回転させると、回転角に応じてゲインが大きくなりＬＥＤ１４ｂ〜１４ｊが順次例えば黄色に点灯する。一方、反時計回りに回転させるとゲインが小さくなりＬＥＤ１４ｊ〜１４ｂが順次消灯する。このように、上記ＬＥＤ１４ｂ〜１４ｊの点灯／消灯状態により、入力ジャック２２から入力された音声のゲイン調整を行うことができる。
【００５５】
図４（ｃ）は、入力ジャック２３（例えばマイクロホン）より入力される音声に対するゲインの調整を行う場合のＬＥＤメータ１４の表示例を示している。ツマミ１２を押圧してこの調整モードに切り替えると、ＬＥＤ１４ｋが例えば赤色に高速で明滅する（この時、ＬＥＤ１４ａは消灯状態）。この状態でツマミ１２を時計回りに回転させると、回転角に応じてゲインが大きくなりＬＥＤ１４ｂ〜１４ｊが順次例えば黄色に点灯する。一方、反時計回りに回転させるとゲインが小さくなりＬＥＤ１４ｊ〜１４ｂが順次消灯する。このように、上記ＬＥＤ１４ｂ〜１４ｊの点灯／消灯状態により、入力ジャック２３から入力された音声のゲイン調整を行うことができる。
【００５６】
図４（ｄ）は、入力ジャック２２（例えばマイクロホン）より入力される音声に対する左右バランスの調整を行う場合のＬＥＤメータ１４の表示例を示している。ツマミ１２を押圧してこの調整モードに切り替えると、ＬＥＤ１４ａが例えば赤色に高速で明滅し、ＬＥＤ１４ｅが例えば黄色に高速で明滅する。この状態でツマミ１２を時計回りまたは反時計回りに回転させ、回転方向と回転角に応じて明滅するＬＥＤの位置を左方向または右方向に移動させることで、入力ジャック２２から入力された音声に対する左右のバランス調整を行うことができる。
【００５７】
図４（ｅ）は、入力ジャック２３（例えばマイクロホン）より入力される音声に対する左右バランスの調整を行う場合のＬＥＤメータ１４の表示例を示している。ツマミ１２を押圧してこの調整モードに切り替えると、ＬＥＤ１４ｋが例えば赤色に高速で明滅し、ＬＥＤ１４ｅが例えば黄色に高速で明滅する。この状態でツマミ１２を時計回りまたは反時計回りに回転させ、回転方向と回転角に応じて明滅するＬＥＤの位置を左方向または右方向に移動させることで、入力ジャック２３から入力された音声に対する左右のバランス調整を行うことができる。
【００５８】
次に、出力機能の調整について、図５（ａ）〜（ｄ）により詳しく説明する。図５（ａ）は、ライン出力ジャック２１から出力される主音量の調整を行う場合のＬＥＤメータ１４の表示例を示している。ツマミ１２を押圧してこの調整モードに切り替えると、両端のＬＥＤ１４ａ、１４ｋが例えば赤色に点灯する。この状態でツマミ１２を時計回りに回転させると、回転角に応じてゲインが大きくなりＬＥＤ１４ｂ〜１４ｊが順次例えば黄色に点灯する。一方、反時計回りに回転させるとゲインが小さくなりＬＥＤ１４ｊ〜１４ｂが順次消灯する。このように、上記ＬＥＤ１４ｂ〜１４ｊの点灯／消灯状態により、ライン出力ジャック２１から出力される主音量の調整を行うことができる。
【００５９】
図５（ｂ）は、ライン出力ジャック２１から出力されるステレオアウトの調整を行う場合のＬＥＤメータ１４の表示例を示している。ツマミ１２を押圧してこの調整モードに切り替えると、ＬＥＤ１４ａが例えば赤色に点灯する（この時、ＬＥＤ１４ｋは消灯状態）。この状態でツマミ１２を時計回りに回転させると、回転角に応じてゲインが大きくなりＬＥＤ１４ｂ〜１４ｊが順次例えば黄色に点灯する。一方、反時計回りに回転させるとゲインが小さくなりＬＥＤ１４ｊ〜１４ｂが順次消灯する。このように、上記ＬＥＤ１４ｂ〜１４ｊの点灯／消灯状態により、ライン出力ジャック２１から出力されるステレオアウトの調整を行うことができる。
【００６０】
図５（ｃ）は、ヘッドホンジャック２０より出力される音量の調整を行う場合のＬＥＤメータ１４の表示例を示している。ツマミ１２を押圧してこの調整モードに切り替えると、ＬＥＤ１４ｋが例えば赤色に点灯する（この時、ＬＥＤ１４ａは消灯状態）。この状態でツマミ１２を時計回りに回転させると、回転角に応じてゲインが大きくなりＬＥＤ１４ｂ〜１４ｊが順次例えば黄色に点灯する。一方、反時計回りに回転させるとゲインが小さくなりＬＥＤ１４ｊ〜１４ｂが順次消灯する。このように、上記ＬＥＤ１４ｂ〜１４ｊの点灯／消灯状態により、ヘッドホンジャック２０から出力される音量の調整を行うことができる。
【００６１】
図５（ｄ）は、出力される音声のミックスバランスの調整を行う場合のＬＥＤメータ１４の表示例を示している。ツマミ１２を押圧してこの調整モードに切り替えると、両端のＬＥＤ１４ａ、１４ｋが例えば赤色に点灯する。この状態でツマミ１２を時計回りまたは反時計回りに回転させるとＭＩＣ（マイクロホン）出力とＵＳＢ出力のレベルが変化し、回転方向と回転角に応じて明滅するＬＥＤの位置を左方向または右方向に移動させることで、出力される音声のミックスバランスの調整を行うことができる。
【００６２】
図６は、図１乃至図３に示したカメラアクセサリ取付台座付きオーディオインターフェース装置の使用例を示す外観斜視図である。本例では、図９と同様にＤＳＬＲを用いて動画（ムービー）用の撮影システムを構成している。カメラ１のアクセサリシュー１ａには、アダプタ２−３の一方の装着部２ａを矢印ＡＦに示すように横から挿入して固定部２ｃのネジを締め付けて固定し、他方の装着部２ｂを矢印ＡＧに示すように筐体１１の下部に設けられたカメラアクセサリ取付台座１９の下面に横方向から挿入し、固定部２ｄのネジを締め付けて取り付ける。そして、この筐体１１の上部のカメラアクセサリ取付台座１８に別のアダプタ２−４を介して様々な周辺機材、例えばＬＥＤ照明、映像確認用モニタ、マイクロホン、音声ミキサまたは音声レコーダなどを装着する。
【００６３】
図６では、カメラアクセサリ取付台座１８に、アダプタ２−４の一方の装着部２ａを矢印ＡＨに示すように横方向から挿入し、固定部２ｃのネジを締め付けて固定し、他方の装着部２ｂにＬＥＤ照明４を矢印ＡＩに示すように挿入し、固定部２ｄのネジを締め付けて取り付けている。また、筐体１１の上部の入力ジャック２２、２３にそれぞれマイクロホン（例えば単一指向性コンデンサマイクロホン）４２、４３のプラグを挿入して装着している。
【００６４】
更に、ライン出力ジャック２１（図１（ｄ）参照）には、接続ケーブル２４を介してカメラ１の音声入力端子を接続する。また、ヘッドホンジャック２０にはヘッドホン（図示せず）を接続し、マイクロホン４２、４３から入力される音声あるいは再生音を確認可能になっている。図示しないが、電源用のコネクタ１７には電池やバッテリーなどの外部電源を接続する。また、必要に応じて、ＵＳＢコネクタ１６に接続ケーブルを介してスマートフォンやパーソナルコンピュータを接続する。
【００６５】
このような構成によれば、オーディオインターフェース回路が内蔵された筐体１１が、拡張用レールとしての機能を有することで、様々なアクセサリ類をカメラアクセサリ取付台座１８、１９を利用して取り付けることができるため、空間の省スペース化が可能となる。
【００６６】
しかも、筐体１１の上下面にカメラアクセサリ取付台座１８、１９を配置したことにより、より効率的なアクセサリ類の取り付けが可能となる。また、カメラ１とオーディオインターフェース装置の操作部１２や表示部１４をユーザと対面するように、かつ近接して集中的に配置することができるので、集音性や可搬性を犠牲にすることなく、操作性や視認性を向上できる。
【００６７】
なお、上記実施例では、ライン出力ジャック２１に接続ケーブル２４を介してカメラ１を接続し、カメラ１の音声入力端子から音声データを録音するようにしたが、高性能な音声レコーダに接続して録音すればよりハイクオリティな音質で録音できる。また、様々な機器に対して音声をデジタルデータで出力したり録音したりすることができ、外付けの機器を接続して映像と音声を配信するために用いることもできる。もちろん、筐体１１内にオーディオインターフェース回路だけでなく音声レコーダを内蔵しても良い。
【００６８】
図７および図８はそれぞれ、図１乃至図３に示したカメラアクセサリ取付台座付きオーディオインターフェース装置の他の使用例を示しており、スマートフォンを用いた撮影システムを示す斜視図である。図７に矢印ＡＪ、ＡＫで示す如く、筐体１１の上部の入力ジャック２２、２３にマイクロホン（例えば単一指向性コンデンサマイクロホン）４２、４３のプラグ４２ａ、４３ａを挿入して装着し、カメラアクセサリ取付台座１９にスマートフォンホルダ４４を装着する。
【００６９】
上記スマートフォンホルダ４４は、スマートフォンを横にした状態で上下に挟持するための鈎型の保持部４５ａ、４５ｂと、カメラアクセサリ取付台座１９に取り付けるためのマウント部４６と、上記保持部４５ａ、４５ｂの幅をスマートフォンの幅に応じて可変するためのアジャスター機構４７とを備えている。このスマートフォンホルダ４４の底部にはカメラ用三脚へ装着するためのネジ穴（図示せず）が設けられており、必要に応じてこのネジ穴にハンドグリップなどを装着することで撮影者が片手で保持できるようになっている。
【００７０】
スマートフォンホルダ４４の下部には、直方体状の部材４８の上面から、スマートフォンの厚さにほぼ対応した切欠部４８ａが形成され、この切欠部４８ａの外側の一部が除去されることで鈎型の保持部４５ｂが形成されている。また、この切欠部４８ａの内面にはウレタンやゴムなどからなる保護部材４９ｂが貼り付けられている。
【００７１】
上記直方体状の部材４８の上面には、柱状部材５０がネジなどを用いて立設されており、枠状可動部材５１に上記柱状部材５０が挿通されている。枠状可動部材５１の上部には、横方向に突出して上記鈎型の保持部４５ａが設けられている。この保持部４５ａの内面にはウレタンやゴムなどからなる保護部材４９ａが貼り付けられている。上記柱状部材５０にはバネ５２が巻設されており、枠状可動部材５１の保持部４５ａを下方向に付勢するようになっている。
【００７２】
そして、上記柱状部材５０は中空で内部に細い柱状部材（図示せず）が挿入されており、この細い柱状部材５０が枠状可動部材５１の上部を貫通している。この細い柱状部材の上部には、マウント部４６が装着されている。マウント部４６には、上部に円盤状の挿入部４６ａ、固定ネジ４６ｂ、保持部４５ａ、４５ｂの幅を設定するための幅調整部４６ｃなどが設けられている。
【００７３】
このスマートフォンホルダ４４のオーディオインターフェース装置の筐体１１への装着は、矢印ＡＬで示すようにカメラアクセサリ取付台座１９の横方向から、溝内にマウント部４６の円盤状の挿入部４６ａを横方向からスライドさせて適位置まで挿入した後、固定ネジ４６ｂを締め込むことでカメラアクセサリ取付台座１９の任意の位置に固定する。
【００７４】
図８は、上記図７のスマートフォンホルダ４４にスマートフォン１００を装着した状態を示している。スマートフォン１００は横にして長手方向の中央付近を保持部４５ａ、４５ｂで上下に挟持する。このスマートフォン１００は、接続ケーブル２５により筐体１１の背面に設けたＵＳＢコネクタ１６に接続する。
【００７５】
このような構成によれば、カメラアクセサリ取付台座とオーディオインターフェース装置との２つの機能を組み合わせることにより、単なる組み合わせとしての機能（アクセサリを取り付けることが可能なオーディオインターフェース装置）だけでなく、以下のような効果が得られる。
【００７６】
オーディオインターフェース装置の操作部１２と表示部１４、スマートフォン１００の操作部と表示部をユーザと対面させることにより、操作性と視認性を向上できる。また、オーディオインターフェース装置をカメラ用機材のマウントに用いることにより可搬性の悪化を回避できる。更に、拡張用レールや拡張用アームなどのカメラ用のアクセサリ取り付けパーツと自由に組み合わせることが可能なため、周辺機材を高い自由度でレイアウトできる。
【００７７】
各機材のレイアウトがオーディオインターフェース装置に制限されることがなくなるため、オーディオインターフェース装置を含めた各機材について、それぞれが本来有する性能を十分に発揮できる場所に操作性良くレイアウトすることが可能となる。
【００７８】
なお、スマートフォン１００に、例えば設定専用のアプリケーションソフトウェアをインストールすることで、ＵＳＢ接続したオーディオインターフェース装置を制御するようにし、リミッター、低域遮断フィルタ（ＬＣＦ Low-Cut Filter）、ＡＴＴなどの設定を行えるようにすれば、より高度な調整や設定を行うことができる。
【００７９】
上述したように、オーディオインターフェース装置の筐体が拡張用レールとしての機能を有することで、カメラアクセサリ取付台座を利用して種々のアクセサリ類を取り付けることができる。このため、撮影システムの大規模化を最小限に留めることが可能となる。また、上下面にカメラアクセサリ取付台座を配置したことにより、さらに効率的なアクセサリ類の取り付けが可能となる。
【００８０】
更に、筐体の前面に操作部と表示部を配置しているため、配置効率を維持したまま容易な操作が可能であり、かつ作動状態の確認も行うことができる。
【００８１】
加えて、筐体の側面にケーブル接続用端子を配置することにより、装置の上下方向に取り付けられたカメラおよびその他のアクセサリ類とケーブルが干渉するのを回避でき、ユーザ側やカメラのレンズ側にケーブルが大きく飛び出すことがなくなるため、ユーザの作業領域やレンズの撮影範囲に干渉することも回避できる。
【００８２】
従って、本発明によれば集音性や可搬性を犠牲にすることなく、操作性や視認性を向上できるカメラアクセサリ取付台座付きオーディオインターフェース装置を提供できる。
【００８３】
なお、本発明は上述した実施形態や実施例に限定されるものではなく、要旨を逸脱しない範囲で種々変形して実施することが可能である。例えば、筐体の背面に各種カメラ用アクセサリを取り付け可能なレール状のカメラアクセサリ取付台座を更に設けることで、より様々な取付方法に対処できる。この場合には、カメラアクセサリ取付台座の溝内、あるいは筐体における溝の外部にＵＳＢコネクタと電源用のコネクタを設けることができる。
【００８４】
また、上記実施例ではコールドシューと呼ばれる電気的な接点を持たない取付台座を例に取って説明したが、例えば動画と静止画を切り替えて撮影する際に、ストロボなどの電気的な接点が必要になる場合には、ホットシューと呼ばれる電気的な接点を有するカメラアクセサリ取付台座を設けても良い。
【符号の説明】
【００８５】
１    カメラ（デジタル一眼レフカメラ）
１ａ    アクセサリシュー
１ｂ    操作スイッチ
１ｃ    モニタ画面
２−１〜２−４    アダプタ
２ａ、２ｂ    装着部
２ｃ、２ｄ    固定部
３    拡張用レール
４    ＬＥＤ照明
５    マイクロホン
５ａ    装着部
５ｂ    固定部
６    音声レコーダ
６ａ、６ｂ    マイクロホン
６ｃ    表示部
６ｄ    操作スイッチ
６ｅ、６ｆ    接続ケーブル
６ｇ    接続ケーブル
１１    筐体
１２    ツマミ（操作部）
１２ａ    目盛り
１３、１５    溝
１４    ＬＥＤメータ（表示部）
１４ａ〜１４ｋ    ＬＥＤ
１６    ＵＳＢコネクタ（外部接続端子）
１７    コネクタ（外部電源端子）
１８、１９    カメラアクセサリ取付台座
１８ａ、１８ｂ、１９ａ、１９ｂ    係止部
１８ｃ、１８ｄ    切欠部
２０    ジャック（ヘッドホンジャック）
２１    ジャック（ライン出力ジャック）
２２、２３    ジャック（入力ジャック）
２４、２５    接続ケーブル
３０    コーデック部
３１    制御部
３２    コーデックＩＣ
３３−１、３３−２    可変ゲインアンプ
３４−１、３４−２    Ａ／Ｄコンバータ
３５−１、３５−２    Ｄ／Ａコンバータ
３６−１〜３６−６    可変抵抗
３７−１、３７−２    バッファアンプ
３８−１、３８−２    ヘッドホンアンプ
３９    ＣＰＵ
４０    ロータリーエンコーダ
４１    パワーＩＣ
４２、４３    マイクロホン
４４    スマートフォンホルダ
４５ａ、４５ｂ    保持部
４６    マウント部
４６ａ    挿入部
４６ｂ    固定ネジ
４６ｃ    幅調整部
４７    アジャスター機構
４８    直方体状の部材
４８ａ    切欠部
４９ａ、４９ｂ    保護部材
５０    柱状部材
５１    枠状可動部材
５２    バネ
１００    スマートフォン
ＡＤＤ、ＤＡＤ    データ線
ＣＬＫ    クロック信号線
【図１】
2014121030.tif 000003
【図２】
2014121030.tif 000004
【図３】
2014121030.tif 000005
【図４】
2014121030.tif 000006
【図５】
2014121030.tif 000007
【図６】
2014121030.tif 000008
【図７】
2014121030.tif 000009
【図８】
2014121030.tif 000010
【図９】
2014121030.tif 000011
【図１０】
2014121030.tif 000012